(57)【要約】【課題】ベルト式無段変速機と、ベルト式無段変速機および伝動軸間に設けられる遠心式の発進クラッチと、伝動軸および後輪間に設けられる遊星ギヤ機構ならびに該遊星ギヤ機構の変速段を切換える遠心式の変速クラッチを含む機械式変速機とを備え、変速クラッチの接続状態となる回転数が発進クラッチの接続状態となる回転数よりも高く設定される鞍乗り型車両の動力伝達装置において、部品点数の増加を抑えたコンパクトな構成で車両減速時に空走感が生じることを抑制する。【解決手段】変速クラッチの遮断状態となる回転数が、発進クラッチの遮断状態となる回転数近傍、またはそれ以下に設定される。【選択図】        図６
2014190364.tif 000002
【特許請求の範囲】
【請求項１】
エンジン（Ｅ）からの動力をその回転速度を無段階に変速することを可能として伝達するベルト式無段変速機（１３）と、該ベルト式無段変速機（１３）および伝動軸（１４）間に設けられる遠心式の発進クラッチ（１５）と、前記伝動軸（１４）および後輪（ＷＲ）の車軸（１６）間に設けられる遊星ギヤ機構（１８）ならびに該遊星ギヤ機構（１８）の変速段を切換える遠心式の変速クラッチ（１９）を含む機械式変速機（１７Ａ，１７Ｂ，１７Ｃ）とを備え、前記変速クラッチ（１９）の接続状態となる回転数が前記発進クラッチ（１５）の接続状態となる回転数よりも高く設定される鞍乗り型車両の動力伝達装置において、前記変速クラッチ（１９）の遮断状態となる回転数が、前記発進クラッチ（１５）の遮断状態となる回転数近傍、またはそれ以下に設定されることを特徴とする鞍乗り型車両の動力伝達装置。
【請求項２】
前記変速クラッチ（１９）が遮断状態となる回転数と、前記発進クラッチ（１５）が遮断状態となる回転数との差は、当該回転数差によって生じる車速差が２５ｋｍ／ｈ以下となるように設定されることを特徴とする請求項１記載の鞍乗り型車両の動力伝達装置。
【請求項３】
前記変速クラッチ（１９）は、遠心ウエイトを（８１）を備えるとともに、トレーリング型に構成されることを特徴とする請求項１または２記載の鞍乗り型車両の動力伝達装置。
【請求項４】
遠心ウエイト（４５，８１）をそれぞれ備える前記発進クラッチ（１５）および前記変速クラッチ（１９）が、少なくとも前記遠心クラッチ（４５，８１）の形状を、前記発進クラッチ（１５）と、前記変速クラッチ（１９）とで異ならせて構成されることを特徴とする請求項１〜３のいずれか１項に記載の鞍乗り型車両の動力伝達装置。
【請求項５】
前記変速クラッチ（１９）のクラッチインナ（７９）が前記伝動軸（１４）に相対回転不能に連結され、前記変速クラッチ（１９）のクラッチアウタ（８０）が前記伝動軸（１４）に相対回転可能に支持され、前記伝動軸（１４）に対して車両前後方向に間隔をあけて配置されるとともに前記伝動軸（１４）と平行な軸線を有する中間軸（５４Ａ，５４Ｂ）が伝動ケース（２０Ａ，２０Ｂ）に回転自在に支承され、前記中間軸（５４Ａ，５４Ｂ）と同軸に配置される前記遊星ギヤ機構（１８）は、前記伝動軸（１４）からの動力が伝達されるリングギヤ（６５）と、該リングギヤ（６５）に噛合する複数の遊星ギヤ（６６）と、それらの遊星ギヤ（６６）を回転自在に支持して後輪（ＷＲ）の車軸（１６）に連動、連結される遊星キャリア（６７）と、複数の前記遊星ギヤ（６６）に噛合するサンギヤ（６８）とを備え、前記クラッチアウタ（８０）の動力を前記サンギヤ（６８）に伝達する動力伝達ギヤ（６９Ａ，６９Ｂ）が前記サンギヤ（６８）に相対回転不能に連結されて前記中間軸（５４Ａ，５４Ｂ）と同軸に配置され、前記クラッチアウタ（８０）および前記伝動ケース（２０Ａ，２０Ｂ）間に、前記伝動軸（１４）の正転方向の回転を許容するワンウエイクラッチ（９４）が設けられることを特徴とする請求項１〜４のいずれか１項に記載の鞍乗り型車両の動力伝達装置。
【請求項６】
前記リングギヤ（６５）が備えるリング部（７２）の外周に、前記伝動軸（１４）に設けられるギヤ（７５Ａ，７５Ｂ）に噛合する外側歯部（７３）が形成され、前記遊星ギヤ（６６）に噛合する内側歯部（７４）が前記リング部（７２）の内周に形成されることを特徴とする請求項５記載の鞍乗り型車両の動力伝達装置。
【請求項７】
前記リングギヤ（６５）および前記動力伝達ギヤ（６９Ａ）が前記中間軸（５４Ａ）の軸方向に並んで配置され、前記中間軸（５４Ａ）の軸線方向から見て前記リングギヤ（６５）および前記動力伝達ギヤ（６９Ａ）に一部が重なるようにして前記変速クラッチ（１９）の一部が前記中間軸（５４Ａ）の軸線方向で前記リングギヤ（６５）および前記動力伝達ギヤ（６９Ａ）間に配置されることを特徴とする請求項５または６記載の鞍乗り型車両の動力伝達装置。
【請求項８】
前記車軸（１６）に従動ギヤ（７８）が設けられ、前記遊星キャリア（６７）からの動力を前記車軸（１６）側に伝達するようにして前記従動ギヤ（７８）に噛合する出力ギヤ（７７）が、前記中間軸（５４Ａ）の軸線に直交する方向から見て前記変速クラッチ（１９）の一部に重なるようにしつつ前記中間軸（５４Ａ）の軸線方向で前記リングギヤ（６５）および前記動力伝達ギヤ（６９Ａ）間に配置されることを特徴とする請求項５〜７のいずれか１項に記載の鞍乗り型車両の動力伝達装置。
【請求項９】
前記遊星ギヤ機構（１８）および前記動力伝達ギヤ（６９Ａ）の少なくとも一方の中央部に、前記中間軸（５４Ａ）の両端部および前記伝動ケース（２０Ａ）間に設けられる一対の中間軸用軸受（５７，５８）の少なくとも一方の少なくとも一部を収容する第１の凹部（８７）が設けられることを特徴とする請求項５〜８のいずれか１項に記載の鞍乗り型車両の動力伝達装置。
【請求項１０】
前記伝動ケース（２０Ａ）からの前記車軸（１６）の突出部に、前記後輪（ＷＲ）のホイール（８８）のハブ（８９）が固定され、前記ハブ（８９）およびリム（９０）間に前記伝動ケース（２０Ａ）側に開放した第２の凹部（９２）を形成するようにして前記リム（９０）および前記ハブ（８９）間が複数のスポーク（９１）で連結され、前記伝動軸（１４）の前記後輪（ＷＲ）側の端部および前記伝動ケース（２０Ａ）間に介装される伝動軸用軸受（５３）の少なくとも一部が、前記ハブ（８９）および前記リム（９０）の前記伝動ケース（２０Ａ）側端部間を結ぶ仮想直線（Ｌ）よりも前記後輪（ＷＲ）の車幅方向中心側で第２の凹部（９２）内に収容されることを特徴とする請求項５〜９のいずれか１項に記載の鞍乗り型車両の動力伝達装置。
【請求項１１】
前記伝動ケース（２０Ａ）が、前記ベルト式無段変速機（１３）および前記発進クラッチ（１５）を収容するとともに前記後輪（ＷＲ）側の側面に収容凹部（２７）が形成されるベルト式無段変速機収容部（２３）と、該ベルト式無段変速機収容部（２３）との間に前記機械式変速機（１７Ａ）を収容する機械式変速機収容室（２２）を形成するようにして前記収容凹部（２７）を覆って前記ベルト式無段変速機収容部（２３）に締結されるカバー部材（２４）とで構成され、底部（８０ａ）を有する椀状の前記クラッチアウタ（８０）が、その開放端を前記ベルト式無段変速機収容部（２３）側に向けて配置され、前記クラッチアウタ（８０）の前記底部（８０ａ）の外面側に支持される回り止め部材（９５）と協働して前記ワンウエイクラッチ（９４）を構成する規制部材（９６）が、前記回り止め部材（９５）を係合させることを可能として前記カバー部材（２４）側から前記ベルト式無段変速機収容部（２３）に取付けられ、前記回り止め部材（９５）および前記規制部材（９６）が、前記カバー部材（２４）および前記ベルト式無段変速機収容部（２３）の締結面（２８）よりも前記カバー部材（２４）側に配置されることを特徴とする請求項５〜１１のいずれか１項に記載の鞍乗り型車両の動力伝達装置。
【発明の詳細な説明】
【技術分野】
【０００１】
本発明は、エンジンからの動力をその回転速度を無段階に変速することを可能として伝達するベルト式無段変速機と、該ベルト式無段変速機および伝動軸間に設けられる遠心式の発進クラッチと、前記伝動軸および後輪の車軸間に設けられる遊星ギヤ機構ならびに該遊星ギヤ機構の変速段を切換える遠心式の変速クラッチを含む機械式変速機とを備え、前記変速クラッチの接続状態となる回転数が前記発進クラッチの接続状態となる回転数よりも高く設定される鞍乗り型車両の動力伝達装置に関する。
【背景技術】
【０００２】
このような動力伝達装置は、たとえば特許文献１で既に知られており、このものでは、変速クラッチのクラッチインナが伝動軸に相対回転不能に結合され、伝動軸との相対回転を可能とクラッチアウタと、固定部材との間には伝動軸と同方向にクラッチアウタが回転するのを許容するワンウエイクラッチが設けられ、変速クラッチが接続状態となる回転数は発進クラッチが接続状態となる回転数よりも高く設定されている。また遊星ギヤ機構のリングギヤが前記伝動軸に連度、連結され、遊星キャリアが後輪の車軸に連動、連結され、サンギヤが前記クラッチアウタに連動、連結されている。このため伝動軸の回転数が低く変速クラッチが遮断状態にあるときには、伝動軸の回転動力が遊星ギヤ機構を介して後輪の車軸側に伝達され、伝動軸の回転数が高く変速クラッチが接続状態にあるときには、伝動軸および遊星ギヤ機構が一体となって回転して伝動軸の回転が同速で後輪の車軸側に伝達されている。
【先行技術文献】
【特許文献】
【０００３】
【特許文献１】特開２０１２−１８０９１６号公報
【発明の概要】
【発明が解決しようとする課題】
【０００４】
ところが、特許文献１で開示されるもののように、機械式変速機の変速比を、遊星ギヤ機構および変速クラッチで切換える構成とした従来のものでは、発進クラッチおよび変速クラッチの接続側の回転数を規定しているだけであり、遮断側の回転数に関しては、接続側の回転数差に従って、変速クラッチが遮断状態となる回転数は発進クラッチが遮断状態となる回転数よりも高く設定されている。この場合、車両の減速に伴って後輪の車軸側から動力が伝達される際に、変速クラッチが接続状態にある間は伝動軸および遊星ギヤ機構が一体となって同速で回転するので、遊星ギヤ機構から伝動軸に伝達された動力は接続状態に在る発進クラッチおよびベルト式無段変速機を介してエンジン側にされるのでエンジンブレーキがかかるものの、伝動軸の回転数がやがて減少して変速クラッチが遮断状態となると、遊星ギヤ機構のサンギヤの増速が許容されることになり、後輪側からの動力が遊星キャリアを介してサンギヤの増速で吸収されてしまい、発進クラッチが遮断状態となるまでの間、エンジンブレーキが充分に効かずに空走感が生じてしまうという課題があった。
【０００５】
本発明は、かかる事情に鑑みてなされたものであり、部品点数の増加を抑えたコンパクトな構成で車両減速時に空走感が生じることを抑制し得るようにした鞍乗り型車両の動力伝達装置を提供することを目的とする。
【課題を解決するための手段】
【０００６】
上記目的を達成するために、本発明は、エンジンからの動力をその回転速度を無段階に変速することを可能として伝達するベルト式無段変速機と、該ベルト式無段変速機および伝動軸間に設けられる遠心式の発進クラッチと、前記伝動軸および後輪の車軸間に設けられる遊星ギヤ機構ならびに該遊星ギヤ機構の変速段を切換える遠心式の変速クラッチを含む機械式変速機とを備え、前記変速クラッチの接続状態となる回転数が前記発進クラッチの接続状態となる回転数よりも高く設定される鞍乗り型車両の動力伝達装置において、前記変速クラッチの遮断状態となる回転数が、前記発進クラッチの遮断状態となる回転数近傍、またはそれ以下に設定されることを第１の特徴とする。
【０００７】
また本発明は、第１の特徴の構成に加えて、前記変速クラッチが遮断状態となる回転数と、前記発進クラッチが遮断状態となる回転数との差は、当該回転数差によって生じる車速差が２５ｋｍ／ｈ以下となるように設定されることを第２の特徴とする。
【０００８】
本発明は、第１または第２の特徴の構成に加えて、前記変速クラッチは、遠心ウエイトをを備えるとともに、トレーリング型に構成されることを第３の特徴とする。
【０００９】
本発明は、第１〜第３の特徴の構成のいずれかに加えて、遠心ウエイトをそれぞれ備える前記発進クラッチおよび前記変速クラッチが、少なくとも前記遠心クラッチの形状を、前記発進クラッチと、前記変速クラッチとで異ならせて構成されることを第４の特徴とする。
【００１０】
本発明は、第１〜第４の特徴の構成のいずれかに加えて、前記変速クラッチのクラッチインナが前記伝動軸に相対回転不能に連結され、前記変速クラッチのクラッチアウタが前記伝動軸に相対回転可能に支持され、前記伝動軸に対して車両前後方向に間隔をあけて配置されるとともに前記伝動軸と平行な軸線を有する中間軸が伝動ケースに回転自在に支承され、前記中間軸と同軸に配置される前記遊星ギヤ機構は、前記伝動軸からの動力が伝達されるリングギヤと、該リングギヤに噛合する複数の遊星ギヤと、それらの遊星ギヤを回転自在に支持して後輪の車軸に連動、連結される遊星キャリアと、複数の前記遊星ギヤに噛合するサンギヤとを備え、前記クラッチアウタの動力を前記サンギヤに伝達する動力伝達ギヤが前記サンギヤに相対回転不能に連結されて前記中間軸と同軸に配置され、前記クラッチアウタおよび前記伝動ケース間に、前記伝動軸の正転方向の回転を許容するワンウエイクラッチが設けられるることを第５の特徴とする。
【００１１】
本発明は、第５の特徴の構成に加えて、前記リングギヤが備えるリング部の外周に、前記伝動軸に設けられるギヤに噛合する外側歯部が形成され、前記遊星ギヤに噛合する内側歯部が前記リング部の内周に形成されることを第６の特徴とする。
【００１２】
本発明は、第５または第６の特徴の構成に加えて、前記リングギヤおよび前記動力伝達ギヤが前記中間軸の軸方向に並んで配置され、前記中間軸の軸線方向から見て前記リングギヤおよび前記動力伝達ギヤに一部が重なるようにして前記変速クラッチの一部が前記中間軸の軸線方向で前記リングギヤおよび前記動力伝達ギヤ間に配置されることを第７の特徴とする。
【００１３】
本発明は、第５〜第７の特徴の構成のいずれかに加えて、前記車軸に従動ギヤが設けられ、前記遊星キャリアからの動力を前記車軸側に伝達するようにして前記従動ギヤに噛合する出力ギヤが、前記中間軸の軸線に直交する方向から見て前記変速クラッチの一部に重なるようにしつつ前記中間軸の軸線方向で前記リングギヤおよび前記動力伝達ギヤ間に配置されることを第８の特徴とする。
【００１４】
本発明は、第５〜第７の特徴の構成のいずれかに加えて、前記遊星ギヤ機構および前記動力伝達ギヤの少なくとも一方の中央部に、前記中間軸の両端部および前記伝動ケース間に設けられる一対の中間軸用軸受の少なくとも一方の少なくとも一部を収容する第１の凹部が設けられることを第９の特徴とする。
【００１５】
本発明は、第５〜第９の特徴の構成のいずれかに加えて、前記伝動ケースからの前記車軸の突出部に、前記後輪のホイールのハブが固定され、前記ハブおよびリム間に前記伝動ケース側に開放した第２の凹部を形成するようにして前記リムおよび前記ハブ間が複数のスポークで連結され、前記伝動軸の前記後輪側の端部および前記伝動ケース間に介装される伝動軸用軸受の少なくとも一部が、前記ハブおよび前記リムの前記伝動ケース側端部間を結ぶ仮想直線よりも前記後輪の車幅方向中心側で第２の凹部内に収容されることを第１０の特徴とする。
【００１６】
さらに本発明は、第５〜第１０の特徴の構成のいずれかに加えて、前記伝動ケースが、前記ベルト式無段変速機および前記発進クラッチを収容するとともに前記後輪側の側面に収容凹部が形成されるベルト式無段変速機収容部と、該ベルト式無段変速機収容部との間に前記機械式変速機を収容する機械式変速機収容室を形成するようにして前記収容凹部を覆って前記ベルト式無段変速機収容部に締結されるカバー部材とで構成され、底部を有する椀状の前記クラッチアウタが、その開放端を前記ベルト式無段変速機収容部側に向けて配置され、前記クラッチアウタの前記底部の外面側に支持される回り止め部材と協働して前記ワンウエイクラッチを構成する規制部材が、前記回り止め部材を係合させることを可能として前記カバー部材側から前記ベルト式無段変速機収容部に取付けられ、前記回り止め部材および前記規制部材が、前記カバー部材および前記ベルト式無段変速機収容部の締結面よりも前記カバー部材側に配置されることを第１１の特徴とする。
【発明の効果】
【００１７】
本発明の第１の特徴によれば、変速クラッチの接続状態となる回転数を発進クラッチの接続状態となる回転数よりも高くするとともに、変速クラッチの遮断状態となる回転数を発進クラッチの遮断状態となる回転数以下としたので、遊星ギヤ機構による変速段の切換え前後の双方の変速比を充分に活用した動力伝達を可能としつつ、車両減速時に発進クラッチに先行して変速クラッチが遮断状態となるのを回避して、減速時に空走感が生じるのを抑制することができ、発進クラッチが遮断状態となるまでの間はエンジンブレーキを充分に効かせることができる。しかもエンジンブレーキ用にワンウエイクラッチ等の専用部品を用いることを不要とし、部品点数の増加を回避して動力伝達装置をコンパクトに構成することができ、鞍乗り型車両に好適な動力伝達装置とすることができる。
【００１８】
また本発明の第２の特徴によれば、２５ｋｍ／ｈ以下の車速差に抑えるように、変速クラッチが遮断状態となる回転数と、発進クラッチが遮断状態となる回転数とを近づけることによって減速時の空走感を効果的に抑制することができる。
【００１９】
本発明の第３の特徴によれば、変速クラッチをトレーリング型に構成することで変速フィーリングを滑らかなものとすることができる上、変速クラッチが遮断状態となる回転数と接続状態となる回転数との間の回転数差の幅を大きくとることが容易となり、遮断側ののみ発進クラッチの遮断状態となる回転数に近づけるといったことも容易に行うことができる。
【００２０】
本発明の第４の特徴によれば、発進クラッチおよび変速クラッチの少なくとも遠心クラッチの形状を異ならせることで、それらの遠心ウエイトの重心位置を異ならせることができ、変速クラッチおよび発進クラッチの接続回転数を異ならせるとともに、変速クラッチの遮断状態となる回転数を発進クラッチの遮断状態となる回転数以下とすることが容易となる。
【００２１】
本発明の第５の特徴によれば、変速クラッチが、エンジンからの動力を機械式変速機側に入力する伝動軸と同軸に配設されるのに対して、遊星ギヤ機構が、伝動軸に対して車両前後方向に間隔をあけて配置されるとともに伝動軸と平行な軸線を有する中間軸と同軸に配置され、遊星ギヤ機構のサンギヤに変速クラッチのクラッチアウタが連動、連結されるので、変速クラッチおよび遊星ギヤ機構が車両前後方向にずれて配置され、遊星ギヤ機構および変速クラッチが伝動軸と同軸上に配置される構成のものに比べて伝動軸の軸線に沿う方向で機械式変速機をコンパクト化することができ、鞍乗り型車両にこの動力伝達装置を搭載することで車両のバンク角を確保し易くなり、鞍乗り型車両に好適な動力伝達装置とすることができる。
【００２２】
本発明の第６の特徴によれば、リングギヤが備えるリング部の外周および内周にそれぞれ形成される外側歯部および内側歯部で動力伝達を行なうようにしたので、遊星ギヤ機構ひいては機械式変速機の軸方向コンパクト化を図ることができる。
【００２３】
本発明の第７の特徴によれば、変速クラッチの一部が、中間軸の軸方向に並ぶリングギヤおよび動力伝達ギヤに、中間軸の軸線方向から見て重なるようにしつつリングギヤおよび動力伝達ギヤ間に配置されるので、中間軸の軸線に沿う方向でリングギヤ、変速クラッチおよび動力伝達ギヤをコンパクトに配置し、中間軸の軸線に沿う方向で機械式変速機をコンパクト化して車両のバンク角をより充分に確保することができるとともに、伝動軸および中間軸の軸間隔もコンパクト化を図ることができる。
【００２４】
本発明の第８の特徴によれば、遊星キャリアからの動力を車軸側に伝達する出力ギヤが、中間軸の軸線に直交する方向から見て変速クラッチの一部に重なるようにしつつ中間軸の軸線方向でリングギヤおよび動力伝達ギヤ間に配置されるので、中間軸の軸線に沿う方向でリングギヤ、出力ギヤ、変速クラッチおよび動力伝達ギヤをよりコンパクトに配置し、中間軸の軸線に沿う方向で機械式変速機をよりコンパクト化することができる。
【００２５】
本発明の第９の特徴によれば、遊星ギヤ機構および動力伝達ギヤの少なくとも一方の中央部に第１の凹部が設けられ、中間軸の両端部および伝動ケース間に設けられる一対の中間軸用軸受の少なくとも一方の少なくとも一部が第１の凹部に収容されるので、少なくとも一方の中間軸用軸受の周囲のスペースに遊星ギヤ機構および動力伝達ギヤの少なくとも一方の少なくとも一部を配置することを可能とし、動力伝達装置を中間軸の軸線方向でよりコンパクト化するとともに軽量化することができる。
【００２６】
本発明の第１０の特徴によれば、伝動ケースからの車軸の突出部に後輪のホイールのハブが固定され、伝動ケース側に開放してホイールに形成される第２の凹部内に、伝動軸の後輪側の端部および伝動ケース間に介装される伝動軸用軸受の少なくとも一部が、ハブおよびリムの伝動ケース側端部間を結ぶ仮想直線よりも後輪の車幅方向中心側に配置されるようにして収容されるので、伝動軸を後輪側により近づけて配置することができ、車幅方向外側に動力伝達装置が大型化することを避けて、バンク角を容易に確保することができる。
【００２７】
さらに本発明の第１１の特徴によれば、伝動ケースが、ベルト式無段変速機を収容するベルト式無段変速機収容部と、ベルト式無段変速機収容部との間に機械式変速機を収容する機械式変速機収容室を形成してベルト式無段変速機収容部に締結されるカバー部材とで構成され、クラッチアウタに支持される回り止め部材と、クラッチアウタの回転方向を規制するワンウエイクラッチを回り止め部材と協働して構成する規制部材とが、カバー部材およびベルト式無段変速機収容部の締結面よりもカバー部材側に配置されるので、ベルト式無段変速機収容部からカバー部材を外した状態では、回り止め部材および規制部材が締結面よりも外側に配置されることになり、組立が容易となる。しかも底部を有して椀状に形成される前記クラッチアウタが、その開放端をベルト式無段変速機収容部側に向けて配置され、そのクラッチアウタの底部の外面側に回り止め部材が支持されるので、ワンウエイクラッチの組み付け時に回り止め部材や規制部材を目視しながら組み付け作業を行うことができ、組立性がさらに向上する。
【図面の簡単な説明】
【００２８】
【図１】第１の実施の形態のパワーユニットの一部切欠き横断平面図である。
【図２】図１の要部拡大図である。
【図３】図２の３−３線矢視図図である。
【図４】図２の４−４線断面図である。
【図５】図２の５−５線断面図である。
【図６】発進クラッチおよび変速クラッチの接続および遮断回転数を対比して示す図である。
【図７】車両減速時のリングギヤ、遊星キャリアおよびサンギヤの回転数変化を説明するための図である。
【図８】第２の実施の形態の図２に対応した断面図である。
【図９】第３の実施の形態の図２に対応した断面図である。
【発明を実施するための形態】
【００２９】
以下、本発明の実施の形態を添付の図面を参照しながら説明する。
【００３０】
本発明の第１の実施の形態について図１〜図７を参照しながら説明すると、先ず図１において、このパワーユニットＰは、鞍乗り型車両たとえば自動二輪車に搭載されるものであり、動力源である空冷式のエンジンＥと、該エンジンＥからの動力を後輪ＷＲに伝達する動力伝達装置Ｔとから成る。この動力伝達装置Ｔは、エンジンＥのクランクケース１１で回転自在に支承されるクランクシャフト１２の回転動力をその回転速度無段階に変速するようにして伝達するベルト式無段変速機１３と、伝動軸１４および前記ベルト式無段変速機１３間に介設される遠心式の発進クラッチ１５と、前記伝動軸１４および前記後輪ＷＲの車軸１６間に設けられる機械式変速機１７Ａとを備え、機械式変速機１７Ａは、遊星ギヤ機構１８と、該遊星ギヤ機構１８の変速段を切り換える遠心式の変速クラッチ１９とを含む。
【００３１】
前記動力伝達装置Ｔは、前記クランクケース１１に連設されて後方に延びるとともに前記後輪ＷＲの左側に配置される伝動ケース２０Ａに収容されるものであり、該伝動ケース２０Ａは、前記ベルト式無段変速機１３および前記発進クラッチ１５を収容するベルト式無段変速機収容室２１を形成するベルト式無段変速機収容部２３と、該ベルト式無段変速機収容部２３との間に前記機械式変速機１７Ａを収容する機械式変速機収容室２２を形成するようにして前記ベルト式無段変速機収容部２３に締結される右側カバー部材２４Ａとで構成される。
【００３２】
図２および図３を併せて参照して、前記ベルト式無段変速機収容部２３は、前記クランクケース１１に一体に連なって後方に延びるケース主体２５と、該ケース主体２５を左側から覆うようにして前記ケース主体２５に結合される左側カバー部材２６とから成る。前記ベルト式無段変速機収容部２３の前記後輪ＷＲ側の側面すなわち前記ケース主体２５の後部の前記後輪ＷＲ側の側面には収容凹部２７が形成され、前記右側カバー部材２４Ａは、前記収容凹部２７の開口端を囲むように前記ケース主体２５に形成される締結面２８に、前記収容凹部２７を覆うようにして締結される。
【００３３】
前記ベルト式無段変速機１３は、前記伝動ケース２０Ａの前記ベルト式無段変速機収容室２１内に突入する前記クランクシャフト１２の一端部に設けられる駆動プーリ３０と、前記クランクシャフト１２と平行な軸線を有する前記伝動軸１４に相対回転可能に支持される従動プーリ３１とに、無端状のＶベルト３２が巻き掛けられて成る。
【００３４】
前記駆動プーリ３０は、前記クランクシャフト１２に固定される固定プーリ半体３３と、該固定プーリ半体３３に対して近接・離間が可能な可動プーリ半体３４とを備え、可動プーリ半体３４は、クランクシャフト１２に固定されたランププレート３５および可動プーリ半体３４間に配置されるウエイトローラ３６に作用する遠心力によって軸方向に駆動される。
【００３５】
前記従動プーリ３１は、前記伝動軸１４を同軸に囲繞しつつ該伝動軸１４に相対回転可能に支承される円筒状の内筒３９に固定される固定プーリ半体３７と、前記内筒３９に対する軸方向相対移動および相対回動を可能として前記内筒３９を同軸に囲繞する外筒４０に固定されることで前記固定プーリ半体３７に対する近接・離反を可能とした可動プーリ半体３８とで構成され、固定プーリ半体３７および可動プーリ半体３８間にＶベルト３２が巻き掛けられる。また可動プーリ半体３７および固定プーリ半体３８間の相対回転位相差に応じて両プーリ半体３７，３８間に軸方向の分力を作用せしめるトルクカム機構４１が、前記内筒３９および前記外筒４０間に設けられ、可動プーリ半体３８はコイルスプリング４２によって固定プーリ半体３７側に向けて弾発付勢される。
【００３６】
図４を併せて参照して、前記発進クラッチ１５は、エンジン回転数が予め定められた発進回転数以上となるのに応じて接続状態となるようにして前記伝動軸１４の一端部および前記内筒３９間に設けられるものであり、前記伝動軸１４の一端部に固定される椀状のクラッチアウタ４３と、前記内筒３９に固定されるクラッチインナ４４と、該クラッチインナ４４の複数箇所に軸４７…を介して軸支される遠心ウエイト４５…と、各遠心ウエイト４５…および前記クラッチインナ４４間に設けられるクラッチばね４６…とを備えてリーディング型に構成されるものであり、クラッチインナ４４が矢印で示す方向に回転するのに応じて各遠心ウエイト４５…に作用する遠心力が各クラッチばね４６…のばね付勢力を上回ったときに遠心ウエイト４５…が開き、遠心ウエイト４５…の先端がクラッチアウタ４３の内周に接触して摩擦係合することで、内筒３９すなわち固定プーリ半体３７とクラッチアウタ４３すなわち伝動軸１４とが結合され、接続状態となる。このようなリーディング型の発進クラッチ１５は、遠心ウエイト４５…がクラッチアウタ４３に噛み込む方向に作動するのでクラッチの滑りが小さい。
【００３７】
前記発進クラッチ１５の前記クラッチアウタ４３が軸方向一端部に固定される前記伝動軸１４は、前記ベルト式無段変速機収容部２３における前記ケース主体２５に設けられる円筒状の第１軸受ハウジング４９を回転自在に貫通し、右側カバー部材２４Ａに一体に設けられる有底円筒状の第２軸受ハウジング５０で前記伝動軸１４の他端部が回転自在に支承される。
【００３８】
第１軸受ハウジング４９および前記伝動軸１４間には、前記ベルト式無段変速機収容室２１側から順に、環状のシール部材５１と、第１の伝動軸用軸受である第１の伝動軸用ボールベアリング５２とが介装され、前記右側カバー部材２４Ａの第２軸受ハウジング５０と、前記伝動軸１４の前記後輪ＷＲ側の端部すなわち他端部との間には、第２の伝動軸用軸受である第２の伝動軸用ボールベアリング５３が介装される。
【００３９】
前記伝動ケース２０Ａには、前記伝動軸１４に対して車両前後方向に間隔をあけて配置される中間軸５４Ａが回転自在に支承されており、この実施の形態では、前記中間軸５４Ａは、前記伝動軸１４に対して車両前後方向の後方かつ下方に配置される。
【００４０】
前記ケース主体２５には、前記中間軸５４Ａの一端部を回転自在に支承する有底円筒状の第３軸受ハウジング５５が一体に設けられ、右側カバー部材２４Ａには、前記中間軸５４Ａの他端部を回転自在に支承する有底円筒状の第４軸受ハウジング５６が一体に設けられる。前記中間軸５４Ａの一端部および第３軸受ハウジング５５間には第１の中間軸用軸受である第１の中間軸用ボールベアリング５７が介装され、前記中間軸５４Ａの他端部および第４軸受ハウジング５６間には第２の中間軸用軸受である第２の中間軸用ボールベアリング５８が介装される。
【００４１】
前記後輪ＷＲの車軸１６は、前記伝動軸１４および前記中間軸５４Ａと平行な軸線を有して前記中間軸５４Ａの車両前後方向の後方かつ上方に配置され、前記ケース主体２５には、前記後輪ＷＲの一端部を回転自在に支承する有底円筒状の第５軸受ハウジング５９が一体に設けられ、前記右側カバー部材２４Ａには、前記車軸１６の中間部を回転自在に貫通せしめる円筒状の第６軸受ハウジング６０が一体に設けられる。
【００４２】
第５軸受ハウジング５９および前記車軸１６の一端部間には、第１の車軸用ボールベアリング６１が介装され、第６軸受ハウジング６０および前記車軸１６間には、前記機械式変速機収容室２２側から順に、環状のシール部材６２と、第２の車軸用ボールベアリング６３とが介装される。
【００４３】
前記変速クラッチ１９は、前記エンジンＥからの動力を前記ベルト式無段変速機１３および前記発進クラッチ１５を介して前記機械式変速機１７Ａ側に入力する前記伝動軸１４と同軸に配設され、前記遊星ギヤ機構１８は前記中間軸５４Ａと同軸に配置されており、前記変速クラッチ１９の出力部材であるクラッチアウタ８０が、前記遊星ギヤ機構１８を構成する構成要素の１つであるサンギヤ６８に連動、連結される。
【００４４】
前記遊星ギヤ機構１８は、前記伝動軸１４からの動力が伝達されるリングギヤ６５と、該リングギヤ６５に噛合する複数の遊星ギヤ６６…と、それらの遊星ギヤ６６…を回転自在に支持して後輪ＷＲの車軸１６に連動、連結される遊星キャリア６７と、前記中間軸５４Ａに相対回転自在に支承されて複数の前記遊星ギヤ６６…に噛合するサンギヤ６８とを備え、前記変速クラッチ１９におけるクラッチアウタ８０の動力を前記サンギヤ６８に伝達する第１の動力伝達ギヤ６９Ａが前記サンギヤ６８に相対回転不能に連結されて前記中間軸５４Ａと同軸に配置され、該中間軸５４Ａに相対回転自在に支承される。
【００４５】
前記中間軸５４Ａと同軸のリング部７２を有する前記リングギヤ６５は、第１の中間軸用ボールベアリング５７の内輪に隣接した位置で前記中間軸５４Ａを囲繞して該中間軸５４Ａに相対回転自在に支承される円筒状のボス部材７０に固着されており、前記リング部７２の外周に前記伝動軸１４に一体に設けられるギヤ７５Ａに噛合する外側歯部７３が形成され、前記リング部７２の内周に前記遊星ギヤ６６…に噛合する内側歯部７４が形成される。
【００４６】
前記リングギヤ６５が固着される前記ボス部材７０と、第２の中間軸用ボールベアリング５８の内輪との間には、前記中間軸５４Ａを囲繞する伝動筒軸７６が、該中間軸５４Ａに相対回転自在に支承されるようにして配置されており、前記サンギヤ６８は前記伝動筒軸７６の一端部に固着される。また前記伝動筒軸７６には、該伝動筒軸７６を囲繞する出力ギヤ７７が相対回転自在に支承されており、前記遊星キャリア６７は、前記遊星ギヤ６６…を軸方向で前記リングギヤ６５との間に挟む位置に配置されて前記出力ギヤ７７に固定され、前記出力ギヤ７７に噛合する従動ギヤ７８が前記車軸１６に設けられる。
【００４７】
図５を併せて参照して、前記変速クラッチ１９は、前記遊星ギヤ機構１８の前記リングギヤ６５に噛合するようにして前記伝動軸１４に一体に設けられた前記ギヤ７５Ａを、第１の伝動軸用ボールベアリング５２との間に挟む位置に配置されており、前記伝動軸１４に相対回転不能に連結されるクラッチインナ７９と、前記伝動軸１４に相対回転可能に支持されるクラッチアウタ８０と、前記クラッチインナ７９の複数箇所に軸４８…を介して軸支される遠心ウエイト８１…と、各遠心ウエイト８１…および前記クラッチインナ７９間に設けられるクラッチばね８２…とを備え、トレーリング型に構成される。
【００４８】
この変速クラッチ１９では、前記伝動軸１４とともに矢印で示す方向に回転する前記クラッチインナ７９の回転に応じて各遠心ウエイト８１…に作用する遠心力が各クラッチばね８２…のばね付勢力を上回ったときに遠心ウエイト８１…がクラッチアウタ８０の内周に摩擦係合することで、接続状態となってクラッチアウタ８０が前記伝動軸１４とともに回転する。しかもこのような変速クラッチ１９は、遠心ウエイト８１…が軸４８…に近い側からクラッチアウタ８０に接触するものであり、遠心ウエイト８１…がなめるようにクラッチアウタ８０に接触するので、リーディング型に比べて滑りが生じ易い。
【００４９】
この変速クラッチ１９が遮断状態から接続状態となる接続回転数は、図６で示すように前記発進クラッチ１５が遮断状態から接続状態となる接続回転数よりも高く設定され、前記発進クラッチ１９が接続状態から遮断状態となる遮断回転数は、前記発進クラッチ１５が接続状態から遮断状態となる遮断回転数以下に（この実施の形態では等しく）設定される。
【００５０】
このように発進クラッチ１５および変速クラッチ１９の接続回転数を異ならせるとともに、変速クラッチ１９の遮断回転数を発進クラッチ１５の遮断回転数以下とするにあたっては、少なくとも両クラッチ１４，１９における遠心ウエイト４５，８１の形状を図４および図５で示したように相互に異ならせればよく、それらの遠心ウエイト４５，８１の重心位置を異ならせることで接続回転数および遮断回転数の設定が可能である。またクラッチばね４６，８２のばね荷重を変化させることによっても調整可能である。
【００５１】
前記変速クラッチ１９の前記クラッチアウタ８０は、底部８０ａを有して椀状に形成されており、その開放端を前記ベルト式無段変速機収容部２３側に向けて配置される。このクラッチアウタ８０における底部８０ａの内周は、前記伝動軸１４にニードルベアリング８３を介して相対回転自在に支承される円筒状の筒体８４に固定されており、この筒体８４の外周の一部に形成される第２の動力伝達ギヤ８５に噛合する第１の動力伝達ギヤ６９Ａが、前記中間軸５４Ａに相対回転自在に支承される前記伝動筒軸７６の他端部に相対回転不能に連結される。すなわち前記変速クラッチ１９における前記クラッチアウタ８０の動力を前記サンギヤ６８に伝達する第１の動力伝達ギヤ６９Ａが前記サンギヤ６８に相対回転不能に連結されて前記中間軸５４Ａと同軸に配置されることになる。
【００５２】
前記リングギヤ６５および第１の動力伝達ギヤ６９Ａは、前記中間軸５４Ａの軸方向に並んで配置されており、前記中間軸５４Ａの軸線方向から見て前記リングギヤ６５および第１の動力伝達ギヤ６９Ａに一部が重なるようにして前記変速クラッチ１９の一部が前記中間軸５４Ａの軸線方向で前記リングギヤ６５および第１の動力伝達ギヤ６９Ａ間に配置される。
【００５３】
しかも前記遊星キャリア６７からの動力を前記車軸１６側に伝達するようにして前記車軸１６の前記従動ギヤ７８に噛合する出力ギヤ７７が、前記中間軸５４Ａの軸線に直交する方向から見て前記変速クラッチ１９の一部に重なるようにしつつ前記中間軸５４Ａの軸線方向で前記リングギヤ６５および第１の動力伝達ギヤ６９Ａ間に配置される。
【００５４】
また前記遊星ギヤ機構１８および第１の動力伝達ギヤ６９Ａの少なくとも一方の中央部に、前記中間軸５４Ａの両端部および前記伝動ケース２０Ａ間に設けられる第１および第２の中間軸用ボールベアリング５７，５８の少なくとも一方の少なくとも一部を収容する第１の凹部が設けられるものであり、この実施の形態では、前記遊星ギヤ機構１８におけるリングギヤ６５の中央部に第１の中間軸用ボールベアリング５７の一部を収容する第１の凹部８６が形成され、第１の動力伝達ギヤ６９Ａの中央部に第２の中間軸用ボールベアリング５８の一部を収容する第１の凹部８７が形成される。
【００５５】
前記伝動ケース２０Ａからの前記車軸１６の突出部すなわち前記車軸１６の他端部には、前記後輪ＷＲのホイール８８のハブ８９が固定される。前記ホイール８８は、前記ハブ８９と、タイヤ９３が装着されるリム９０との間に複数のスポーク９１…が設けられて成るものであるが、前記スポーク９１が、前記リム９０および前記ハブ８９間に前記伝動ケース２０Ａ側に開放した第２の凹部９２を形成するように形成される。
【００５６】
しかも前記伝動軸１４の前記後輪ＷＲ側の端部および前記伝動ケース２０Ａ間に介装される第２の伝動軸用ボールベアリング５３の少なくとも一部、この実施の形態では、第２の伝動軸用ボールベアリング５３の一部が、前記ハブ８９および前記リム９０の前記伝動ケース２０Ａ側端部間を結ぶ仮想直線Ｌよりも前記後輪ＷＲの車幅方向中心側で第２の凹部９２内に収容される。
【００５７】
図３に注目して、前記変速クラッチ１９における前記クラッチアウタ８０の回転方向は、ワンウエイクラッチ９４で規制されるものであり、このワンウエイクラッチ９４は、前記クラッチアウタ８０における前記底部８０ａの外面側に支持される複数の回り止め部材９５，９５…と、それらの回り止め部材９５，９５…を係合させることを可能として前記右側カバー部材２４Ａ側から前記伝動ケース２０Ａの前記ベルト式無段変速機収容部２３に取付けられる規制部材９６とを備える。
【００５８】
前記規制部材９６は、外側方に延びる一対の取付け腕部９６ａ，９６ａを有してリング状に形成されており、前記ベルト式無段変速機収容部２３の締結面２８との間に円筒状のカラー９７…を介在させた前記取付け腕部９６ａ，９６ａが、ボルト９８…によって前記締結面２８に前記右側カバー部材２４Ａ側から取付けられる。
【００５９】
この規制部材９６の内周には、複数個たとえば１２個の係止凹部９９，９９…がたとえば３０度ずつの角度を相互間にあけて周方向等間隔に形成されるとともに、前記クラッチアウタ８０の矢印１０１で示す回転方向に沿う前方に向かうにつれて前記クラッチアウタ８０の半径方向内方位置にあるように形成して前記各係止凹部９９，９９…間に配置される傾斜面１００，１００…とが形成される。
【００６０】
一方、前記変速クラッチ１９の前記クラッチアウタ８０における底部８０ａの外面には、複数個たとえば４個の枢軸１０２，１０２…が周方向に等間隔をあけて植設されており、それらの枢軸１０２，１０２…に、くびれを有する軽量部９５ａ，９５ａ…と、くびれのない重量部９５ｂ，９５ｂ…とが前記枢軸１０２，１０２…の両側に位置するように形成された前記回り止め部材９５，９５…が回動自在に支承される。しかも前記枢軸１０２，１０２…は、前記規制部材９６の内周の係止凹部９９，９９に前記底部８０ａの軸対称位置にある一対の回り止め部材９５，９５が係合しているときに他の一対の回り止め部材９５，９５が前記係止凹部９９，９９に係合することがないようにして前記底部８０ａに配設されており、この実施の形態では、前記底部８０ａの軸対称位置にある一対の枢軸１０２，１０２と、他の一対の枢軸１０２，１０２との間の角度は７５度である。
【００６１】
前記回り止め部材９５，９５…は、軽量部９５ａ，９５ａ…の先端が前記底部８０ａの半径方向外方を向くようにばね付勢されており、クラッチアウタ８０が回転したときには重量部９５ｂ，９５ｂ…に前記底部８０ａの半径方向外方に向けての遠心力が作用し、回り止め部材９５，９５…は前記底部８０ａに植設されたストッパピン１０６，１０６…に当接して、その回動位置を保持する。
【００６２】
このようなワンウエイクラッチ９４では、前記クラッチアウタ８０に前記矢印１０１とは逆方向の矢印１０７で示す方向に回転させる力が作用したときには、前記底部８０ａの軸対称位置にある一対の回り止め部材９５，９５が規制部材９６の係止凹部９９，９９に係合してクラッチアウタ８０の回転を規制する。また前記クラッチアウタ８０に前記矢印１０１で示す方向に回転させる力が作用したときには、前記回り止め部材９５，９５…と前記規制部材９６との係合が解除され、前記クラッチアウタ８０が前記矢印１０１で示す方向に回転することになる。
【００６３】
このような動力伝達装置Ｔでは、エンジンＥの回転速度が発進回転数以上となるのに応じて発進クラッチ１５が接続状態となり、伝動軸１４から機械式変速機１７Ａに回転動力が入力され、変速クラッチ１９のクラッチインナ７９が回転し始めるともに、伝動軸１４に設けられたギヤ７５Ａに噛合したリングギヤ６５が回転し始める。この場合、伝動軸１４の回転数が変速クラッチ１９を接続させる回転速度に達するまでは変速クラッチ１９は遮断状態である。前記リングギヤ６５の回転によって、サンギヤ６８には、遊星ギヤ６６…を介して前記リングギヤ６５とは反対方向に回転する側の力が作用することになる。このサンギヤ６８は伝動筒軸７６、第１の動力伝達ギヤ６９Ａ、第２の動力伝達ギヤ８５および前記筒体８４を介して変速クラッチ１９のクラッチアウタ８０に連動、連結されており、前記サンギヤ６８から前記変速クラッチ１９の前記クラッチアウタ８０には、前記伝動軸１４の回転方向と逆方向に回転させる力が作用することになり、該クラッチアウタ８０の回転がワンウエイクラッチ９４によって規制されるので、前記サンギヤ６８も静止状態に保持される。したがって各遊星ギヤ６６…が、静止したサンギヤ６８のまわりを遊星キャリア６７とともに回転することになり、伝動軸１４の回転数よりも減速された回転数で回転する遊星キャリア６７から出力ギヤ７７および従動ギヤ７８を介して後輪ＷＲの車軸１６に回転動力が伝達される。すなわち機械式変速機１７Ａの変速段は「ＬＯＷ」である。
【００６４】
伝動軸１４の回転速度がさらに増大して変速クラッチ１９が接続すると、ワンウエイクラッチ９４による規制が解除されて変速クラッチ１９のクラッチアウタ８０が伝動軸１４とともに回転し、遊星ギヤ機構１８では、サンギヤ６８がリングギヤ６５と同方向に回転することになり、遊星ギヤ機構１８での各ギアの回転差がなくなって機械式変速機１７Ａの変速段が「ＨＩＧＨ」となる。しかもこのような機械式変速機１７Ａでの変速段切換は、ベルト式無段変速機１３での変速比が低い状態で生じるものである。
【００６５】
次にこの第１の実施の形態の作用について説明すると、変速クラッチ１９の接続状態となる回転数を発進クラッチ１５の接続状態となる回転数よりも高くするとともに、変速クラッチ１９の遮断状態となる回転数を発進クラッチ１５の遮断状態となる回転数以下としたので、遊星ギヤ機構１８による変速段の切換え前後の双方の変速比を充分に活用した動力伝達を可能としつつ、車両減速時に発進クラッチ１５に先行して変速クラッチ１９が遮断状態となるのを回避して、減速時に空走感が生じるのを抑制することができ、発進クラッチ１９が遮断状態となるまでの間はエンジンブレーキを充分に効かせることができる。しかもエンジンブレーキ用にワンウエイクラッチ等の専用部品を用いることを不要とし、部品点数の増加を回避して動力伝達装置Ｔをコンパクトに構成することができ、鞍乗り型車両である自動二輪車に好適な動力伝達装置とすることができる。
【００６６】
ここで車両減速時の遊星ギヤ機構１８におけるリングギヤ６５、遊星キャリア６７およびサンギヤ６８の回転数の変化について、発進クラッチ１５の遮断状態となる回転数ＮＤに対して、変速クラッチ１９の遮断状態となる回転数をＮＣ１＞ＮＣ２＞ＮＣ３＞ＮＤとなるように順次高くした回転数ＮＣ１，ＮＣ２，ＮＣ３の３段階に変化させて、図７を参照しながら説明すると、車速３０ｋｍ／ｈからの車両減速時に一体回転状態にある遊星ギヤ機構１８の回転数が変速クラッチ１９の遮断回転数ＮＣ１，ＮＣ２，ＮＣ３に達するのに応じて遊星キャリア６７は惰行を続けるが、サンギヤ６８は増速し、リンギギヤ６５はエンジンブレーキに引かれて回転数が低下することになり、リングギヤ６５の回転数が発進クラッチ１５の遮断状態となる回転数ＮＤまで低下すると、リングギヤ６５の回転は増速し、サンギヤ６８の回転は減速し、遊星キャリア６７の回転に収束することになる。このような図７で示した回転数変化で明らかなように、変速クラッチ１９の遮断回転数をＮＣ１→ＮＣ２→ＮＣ３と発進クラッチ１５の遮断回転数ＮＤに近づけるほど遊星ギヤ機構１８での変速比変化は少なくなるものである。すなわち本発明に従って変速クラッチ１９の遮断状態となる回転数を発進クラッチ１５の遮断状態となる回転数近傍、またはそれ以下とすることによって、減速時に空走感が生じるのを抑制することができる。
【００６７】
この際、前記変速クラッチ１９が遮断状態となる回転数と、前記発進クラッチ１５が遮断状態となる回転数との差は、当該回転数差によって生じる車速差が２５ｋｍ／ｈ以下となるように設定されることが好ましく、そうすれば、２５ｋｍ／ｈ以下の車速差に抑えるように、変速クラッチ１９が遮断状態となる回転数と、発進クラッチ１５が遮断状態となる回転数とを近づけることによって減速時の空走感を効果的に抑制することができる。
【００６８】
また前記変速クラッチ１９が遠心ウエイト８１…を有してトレーリング型に構成されているので、変速フィーリングを滑らかなものとすることができる上、変速クラッチ１９が遮断状態となる回転数と接続状態となる回転数との間の回転数差の幅を大きくとることが容易となり、遮断側のみ発進クラッチ１５の遮断状態となる回転数に近づけるといったことも容易に行うことができる。
【００６９】
しかも発進クラッチ１５および変速クラッチ１９の接続回転数を異ならせるとともに、変速クラッチ１９の遮断回転数を発進クラッチ１５の遮断回転数以下とするにあたって、少なくとも両クラッチ１４，１９における遠心ウエイト４５，８１の形状を相互に異ならせたので、それらの遠心ウエイト４５，８１の重心位置を異ならせることでができ、変速クラッチ１９および発進クラッチ１５の接続回転数を異ならせるとともに、変速クラッチ１９の遮断状態となる回転数を発進クラッチ１５の遮断状態となる回転数以下とすることが容易となる。
【００７０】
またエンジンＥからの動力をベルト式無段変速機１３および発進クラッチ１５を介して機械式変速機１７Ａ側に入力する伝動軸１４と同軸に変速クラッチ１９が配設され、伝動軸１４に対して車両前後方向に間隔をあけて配置されるとともに前記伝動軸１４と平行な軸線を有する中間軸５４Ａが伝動ケース２０Ａに回転自在に支承され、前記中間軸５４Ａと同軸に配置される遊星ギヤ機構１８のサンギヤ６８に前記変速クラッチ１９の出力部材であるクラッチアウタ８０が連動、連結されるので、変速クラッチ１９および遊星ギヤ機構１８が車両前後方向にずれて配置され、遊星ギヤ機構１８および変速クラッチ１９が伝動軸１４と同軸上に配置される構成のものに比べて伝動軸１４の軸線に沿う方向で機械式変速機１７Ａをコンパクト化することができ、自動二輪車のような鞍乗り型車両にこの動力伝達装置Ｔを搭載することで車両のバンク角を確保し易くなり、鞍乗り型車両に好適な動力伝達装置Ｔとすることができる。
【００７１】
また前記変速クラッチ１９のクラッチインナ７９が前記伝動軸１４に相対回転不能に連結され、前記変速クラッチ１９の前記クラッチアウタ８０が前記伝動軸１４に相対回転可能に支持され、前記遊星ギヤ機構１８は、前記伝動軸１４からの動力が伝達されるリングギヤ６５と、該リングギヤ６５に噛合する複数の遊星ギヤ６６…と、それらの遊星ギヤ６６…を回転自在に支持して後輪ＷＲの車軸１６に連動、連結される遊星キャリア６７と、前記中間軸５４Ａに相対回転自在に支承されて複数の前記遊星ギヤ６６…に噛合するサンギヤ６８とを備え、前記クラッチアウタ８０の動力を前記サンギヤ６８に伝達する第１の動力伝達ギヤ６９Ａが前記サンギヤ６８に相対回転不能に連結されて前記中間軸５４Ａと同軸に配置されるので、変速クラッチ１９および遊星ギヤ機構１８が車両前後方向にずれて配置される構成であっても、後輪ＷＲの車軸１６に連動、連結される遊星キャリア６７からの出力を、変速クラッチ１９の断・接状態に応じたサンギヤ６８の回転速度変化によって変化させることができ、機械式変速機１７Ａの変速段の切換えを容易に行うことができる。また伝動軸１４および遊星ギヤ機構１８のリングギヤ６５間のギヤ比と、第１の動力伝達ギヤ６９Ａおよびクラッチアウタ８０間のギヤ比とを調整することで遊星キャリア６７からの出力（変速比）を容易に変更することができる。
【００７２】
また前記リングギヤ６５が備えるリング部７２の外周に、前記伝動軸１４に設けられるギヤ７５Ａに噛合する外側歯部７３が形成され、前記遊星ギヤ６６…に噛合する内側歯部７４が前記リング部７２の内周に形成されるので、リングギヤ６５が備えるリング部７２の外周および内周にそれぞれ形成される外側歯部７３および内側歯部７４で動力伝達が行なわれることになり、遊星ギヤ機構１８ひいては機械式変速機１７Ａの軸方向コンパクト化を図ることができる。
【００７３】
また前記リングギヤ６５および第１の動力伝達ギヤ６９Ａが前記中間軸５４Ａの軸方向に並んで配置され、前記中間軸５４Ａの軸線方向から見て前記リングギヤ６５および第１の動力伝達ギヤ６９Ａに一部が重なるようにして前記変速クラッチ１９の一部が前記中間軸５４Ａの軸線方向で前記リングギヤ６５および第１の動力伝達ギヤ６９Ａ間に配置されるので、中間軸５４Ａの軸線に沿う方向でリングギヤ６５、変速クラッチ１９および第１の動力伝達ギヤ６９Ａをコンパクトに配置し、中間軸５４Ａの軸線に沿う方向で機械式変速機１７Ａをコンパクト化して車両のバンク角をより充分に確保することができるとともに、伝動軸１４および中間軸５４Ａの軸間隔もコンパクト化を図ることができる。
【００７４】
また後輪ＷＲの前記車軸１６に従動ギヤ７８が設けられ、前記遊星キャリア６７からの動力を前記車軸１６側に伝達するようにして前記従動ギヤ７８に噛合する出力ギヤ７７が、前記中間軸５４Ａの軸線に直交する方向から見て前記変速クラッチ１９の一部に重なるようにしつつ前記中間軸５４Ａの軸線方向で前記リングギヤ６５および第１の動力伝達ギヤ６９Ａ間に配置されるので、中間軸５４Ａの軸線に沿う方向でリングギヤ６５、出力ギヤ７７、変速クラッチ１９および第１の動力伝達ギヤ６９Ａをよりコンパクトに配置し、中間軸５４Ａの軸線に沿う方向で機械式変速機１７Ａをよりコンパクト化することができる。
【００７５】
また前記遊星ギヤ機構１８および第１の動力伝達ギヤ６９Ａの少なくとも一方の中央部に、前記中間軸５４Ａの両端部および前記伝動ケース２０Ａ間に設けられる第１および第２の中間軸用ボールベアリング５７，５８の少なくとも一方の一部を収容する第１の凹部が設けられるものであり、この実施の形態では、前記遊星ギヤ機構１８におけるリングギヤ６５の端板部７１の中央部に第１の中間軸用ボールベアリング５７の一部を収容する第１の凹部８６が形成され、第１の動力伝達ギヤ６９Ａの中央部に第２の中間軸用ボールベアリング５８の一部を収容する第１の凹部８７が形成されるので、第１および第２の中間軸用ボールベアリング５７，５８の周囲のスペースに遊星ギヤ機構１８および第１の動力伝達ギヤ６９Ａの一部を配置することを可能とし、機械式変速機１７Ａを中間軸５４Ａの軸線方向でよりコンパクト化するとともに軽量化することができる。
【００７６】
また前記伝動ケース２０Ａからの前記車軸１６の突出部に、前記後輪ＷＲのホイール８８のハブ８９が固定され、前記ハブ８９およびリム９０間に前記伝動ケース２０Ａ側に開放した第２の凹部９２を形成するようにして前記リム９０および前記ハブ８９間が複数のスポーク９１…で連結され、前記伝動軸１４の前記後輪ＷＲ側の端部および前記伝動ケース２０Ａ間に介装される第２の伝動軸用ボールベアリング５３の少なくとも一部（この実施の形態では一部）が、前記ハブ８９および前記リム９０の前記伝動ケース２０Ａ側端部間を結ぶ仮想直線Ｌよりも前記後輪ＷＲの車幅方向中心側で第２の凹部９２内に収容されるので、伝動軸１４を後輪ＷＲ側により近づけて配置することができ、車幅方向外側に動力伝達装置Ｔが大型化することを避けてバンク角を容易に確保することができる。
【００７７】
さらに前記伝動ケース２０Ａが、前記エンジンＥおよび前記伝動軸１４間に設けられるベルト式無段変速機１３を収容するとともに前記後輪ＷＲ側の側面に収容凹部２７が形成されるベルト式無段変速機収容部２３と、該ベルト式無段変速機収容部２３との間に前記機械式変速機１７Ａを収容する機械式変速機収容室２２を形成するようにして前記収容凹部２７を覆って前記ベルト式無段変速機収容部２３に締結される右側カバー部材２４Ａとで構成され、変速クラッチ９４において底部８０ａを有して椀状に形成されるクラッチアウタ８０に支持される回り止め部材９５，９５…と協働して前記クラッチアウタ８０の回転方向を規制するワンウエイクラッチ９４を構成する規制部材９６が、前記回り止め部材９５，９５…を係合させることを可能として右側カバー部材２４Ａ側から前記ベルト式無段変速機収容部２３に取付けられ、前記回り止め部材９５，９５…および前記規制部材９６が、前記右側カバー部材２４Ａおよび前記ベルト式無段変速機収容部２３の締結面２８よりも前記右側カバー部材２４Ａ側に配置されるので、ベルト式無段変速機収容部２３から右側カバー部材２４Ａを外した状態では、回り止め部材９５，９５…および規制部材９６が締結面２８よりも外側に配置されることになり、組立が容易となる。しかも開放端を前記ベルト式無段変速機収容部２３側に向けて配置されるクラッチアウタ８０の前記底部８０ａの外面側に回り止め部材９５，９５…が支持されるので、ワンウエイクラッチ９４の組み付け時に回り止め部材９５，９５…や規制部材９６を目視しながら組み付け作業を行うことができ、組立性がさらに向上する。
【００７８】
本発明の第２の実施の形態について図８を参照しながら説明するが、上記第１の実施の形態に対応する部分には同一の参照符号を付して図示するのみとし、詳細な説明は省略する。
【００７９】
伝動ケース２０Ｂは、前記ベルト式無段変速機１３および前記発進クラッチ１５を収容するベルト式無段変速機収容室２１を形成するベルト式無段変速機収容部２３と、該ベルト式無段変速機収容部２３に締結される右側カバー部材２４Ｂとで構成され、ベルト式無段変速機収容部２３および右側カバー部材２４Ｂ間に、機械式変速機１７Ｂが収容される。
【００８０】
機械式変速機１７Ｂが備える変速クラッチ１９は、該変速クラッチ１９が備える椀状のクラッチアウタ８０の開放端を後輪ＷＲと反対側に開放して伝動軸１４と同軸に配置される。また前記変速クラッチ１９における前記クラッチアウタ８０の回転方向を規制するワンウエイクラッチ９４の規制部材９６は、ベルト式無段変速機収容部２３の締結面２８よりも奥でベルト式無段変速機収容部２３に締結される。
【００８１】
伝動ケース２０Ｂには、前記伝動軸１４に対して車両前後方向に間隔をあけて配置される中間軸５４Ｂが回転自在に支承されており、この中間軸５４Ｂに固着される第１の動力伝達ギヤ６９Ｂに噛合する第２の動力伝達ギヤ８５が、前記伝動軸１４にニードルベアリング８３を介して回転自在に支承される筒体８４に設けられ、前記変速クラッチ１９の前記クラッチアウタ８０が前記筒体８４に固定される。
【００８２】
遊星ギヤ機構１８は、前記中間軸５４Ｂと同軸に配置されており、そのリングギヤ６５は、第２の動力伝達ギヤ８４および第２の伝動軸用５３間で前記伝動軸１４に固着されたギヤ７５Ｂに噛合して前記中間軸５４Ｂに相対回転自在に支承され、サンギヤ６８は前記中間軸５４Ｂに固定され、遊星キャリア６７は、前記中間軸５４Ｂにニードルベアリング１２０を介して相対回転自在に支承される出力ギヤ７７に固定される。
【００８３】
この第２の実施の形態によっても、変速クラッチ１９および遊星ギヤ機構１８が車両前後方向にずれて配置され、遊星ギヤ機構１８および変速クラッチ１９が伝動軸１４と同軸上に配置される構成のものに比べて伝動軸１４の軸線に沿う方向で機械式変速機１７Ｂをコンパクト化することができ、自動二輪車のような鞍乗り型車両にこの動力伝達装置を搭載することで車両のバンク角を確保し易くなり、鞍乗り型車両に好適な動力伝達装置とすることができる。
【００８４】
本発明の第３の実施の形態として、図９で示すように、機械式変速機１７Ｃが備える変速クラッチ１９が、該変速クラッチ１９が備える椀状のクラッチアウタ８０の開放端を後輪ＷＲ側に開放して伝動軸１４と同軸に配置されるようにしてもよい。
【００８５】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００８６】
１３・・・ベルト式無段変速機
１４・・・伝動軸
１５・・・発進クラッチ
１６・・・車軸
１７Ａ，１７Ｂ，１７Ｃ・・・機械式変速機
１８・・・遊星ギヤ機構
１９・・・変速クラッチ
２０Ａ，２０Ｂ・・・伝動ケース
２２・・・機械式変速機収容室
２３・・・ベルト式無段変速機収容部
２４・・・カバー部材である右側カバー部材
２７・・・収容凹部
２８・・・締結面
４５，８１・・・遠心ウエイト
５３・・・伝動軸用軸受である伝動軸用ボールベアリング
５４Ａ，５４Ｂ・・・中間軸
５７，５８・・・中間軸用軸受である中間軸用ボールベアリング
６５・・・リングギヤ
６６・・・遊星ギヤ
６７・・・遊星キャリア
６８・・・サンギヤ
６９Ａ，６９Ｂ・・・動力伝達ギヤである第１の動力伝達ギヤ
７２・・・リング部
７３・・・外側歯部
７４・・・内側歯部
７５Ａ，７５Ｂ・・・ギヤ
７７・・・出力ギヤ
７８・・・従動ギヤ
７９・・・クラッチインナ
８０・・・クラッチアウタ
８０ａ・・・底部
８７・・・第１の凹部
８８・・・ホイール
８９・・・ハブ
９０・・・リム
９１・・・スポーク
９２・・・第２の凹部
９４・・・ワンウエイクラッチ
９５・・・回り止め部材
９６・・・規制部材
Ｅ・・・エンジン
Ｌ・・・仮想直線
ＷＲ・・・後輪
【図１】
2014190364.tif 000003
【図２】
2014190364.tif 000004
【図３】
2014190364.tif 000005
【図４】
2014190364.tif 000006
【図５】
2014190364.tif 000007
【図６】
2014190364.tif 000008
【図７】
2014190364.tif 000009
【図８】
2014190364.tif 000010
【図９】
2014190364.tif 000011